(57)【要約】【課題】複雑な装置や配線を用いることなく、発信者が留守録音している会話の内容を受信者が携帯電話機を取ることなくリアルタイムで確認することができる携帯電話機を提供する。【解決手段】所定時間、受信者が応答しないときに送信者からの音声データを自動的に録音、保存する留守録音手段４と、留守録音手段４の動作に対応して、前記送信者から送信されてきた音声データを外部機器に出力する外部出力手段６と、前記音声データを記憶する記憶手段５と、を備えたことを特徴とする外部出力機能付き携帯電話機Ａ。【選択図】      図  １
2005006009.tif 000002
【特許請求の範囲】
【請求項１】
所定時間、受信者が応答しないときに送信者からの音声信号を音声データとして自動的に録音、保存する留守録音手段と、
前記留守録音手段の動作に対応して、前記送信者から送信されてきた音声データを外部機器に出力する外部出力手段と、
前記音声データを記憶する記憶手段と、を備えたことを特徴とする外部出力機能付き携帯電話機。
【請求項２】
前記外部出力手段は、前記送信者から送信されてきた音声信号をリアルタイムで外部機器に出力することを特徴とする請求項１に記載の外部出力機能付き携帯電話機。
【請求項３】
前記携帯電話機は、前記送信者から送信されてきた音声信号を音声データとして前記留守録音手段にて前記記憶手段に記憶させると同時に、前記外部出力手段にて前記音声信号を前記外部機器に出力することを特徴とする請求項１又は請求項２に記載の外部出力機能付き携帯電話機。
【請求項４】
前記携帯電話機は、前記送信者から送信されてきた音声信号を音声データとして留守録音手段で録音するか又は前記外部出力手段で外部機器に出力するかのどちらか一方を行うことを特徴とする請求項１に記載の外部出力機能付き携帯電話機。
【請求項５】
前記携帯電話機は、前記送信者からの音声信号を前記外部出力手段にて出力するか否かを指定するモード設定手段を有していることを特徴とする請求項１から請求項４のいずれかに記載の外部出力機能付き携帯電話機。
【請求項６】
前記外部出力手段は、前記音声信号にＦＭ変調を施してＦＭ波に重畳して送信することを特徴とする請求項１から請求項５のいずれかに記載の外部出力機器付き携帯電話機。
【請求項７】
前記記憶手段に予め録音されている送信者からの音声データを音声信号に変換し、外部出力手段にて前記外部機器に出力することを特徴とする外部出力機能付き携帯電話機。
【請求項８】
前記外部出力手段は、前記音声信号にＦＭ変調を施してＦＭ波に重畳して送信することを特徴とする請求７に記載の外部出力機器付き携帯電話機。
【請求項９】
前記携帯電話機の留守録音手段と連動し、該携帯電話機に送信されてきた音声データを該携帯電話機以外の外部機器に出力するための、外部出力手段を有しており、
前記携帯電話機と所定の方法で接続することで前記外部機器に携帯電話機の音声データを出力することが可能である音声外部出力装置。
【発明の詳細な説明】
【０００１】
【発明の属する技術分野】
【０００２】
本発明は、音声信号を携帯電話機の電波以外の方法で外部機器に発信する外部出力機器付き携帯電話機に関するものである。
【０００３】
【従来の技術】
現在、携帯電話機は広く普及しており、該携帯電話機は電波の届く範囲にある限り場所、時間等の制約を受けることなく、電話をかけたり、電話を受けたりすることが可能である。
【０００４】
しかしながら、携帯電話機のベルが聞こえないときや、料理等で火を扱っており火の前から離れることができない等、前記携帯電話機が電波を受信しているにもかかわらず電話を受けることができない場合がある。これらの場合において要件が伝わらないという問題点を解決するために、電話をかけた相手からの要件を一時的に録音、保管しておき、後ほど、改めて保管してある要件を確認する留守番電話機能がよく用いられている。
【０００５】
また、自動車を運転しているときに携帯電話機にて通話をするのは非常に危険であり、法律により禁止されている。前記携帯電話機の中には自動車運転中の設定（以下、ドライブモードという）を備えているものがある。前記ドライブモードは、前記送信者に対し電話を受ける側の人間が自動車運転中であり、電話に出ることができない旨のアナウンスが流れた後、前記留守番電話機能に切り替わり、電話の要件を録音するものである。
【０００６】
また、イヤホーン及びマイクを有し前記携帯電話機を手で保持し耳にあてがわなくても通話できる通話専用の機器、いわゆる、ハンズフリーユニットが用いられることもある。ハンズフリーユニットを用いた場合、自動車運転中であっても、安全に且つ合法的に電話を受けることができる。
【０００７】
【特許文献１】
特開２００２−１１８６６１号公報
【特許文献２】
特開平５−２５２２５５号公報
【特許文献３】
特開平９−３０７８８４号公報
【０００８】
【発明が解決しようとする課題】
しかしながら、前記携帯電話機をドライブモードにしているときに、緊急の要件で該携帯電話機に電話したときにも自動車運転中のアナウンスが流れ、留守番電話機能に切り替わる。留守番電話機能に保存されたメッセージを電話を受ける側がすぐに気づけばよいが、気づかない場合も多くその場合、緊急の要件だけに非常に大きな問題となることが多い。
【０００９】
また、前記ハンズフリーユニットを用いている場合、電話で伝えられる要件をその場でうけることができ、会話することも可能であるが、常時片方又は両方の耳が塞がっており外部の音が聞こえない場合もあり、運転中に危険な状況になる場合がある。また、常にイヤホーン及びマイクのケーブルが頭部近傍に垂れているため、頭部の動きを制限したり、該ケーブルが車内の各部と干渉したりして危険な状態になる場合がある。
【００１０】
そこで本発明は、複雑な装置や配線を用いることなく、発信者が留守録音している会話の内容を受信者が携帯電話機を取ることなくリアルタイムで確認することができる携帯電話機を提供することを目的とする。
【００１１】
また、本発明は、簡単な操作で、携帯電話機の留守録音機能にて録音、保存されている音声信号を外部機器のスピーカに出力することができる携帯電話機を提供することを目的とする。
【００１２】
また本発明は、留守録音機能を有する携帯電話機に、留守録音中の音声を外部機器スピーカで確認できる機能を付加することができる音声外部出力装置を提供することを目的とする。
【００１３】
【課題を解決するための手段】
上記目的を達成するために本発明は、音声信号を外部機器に出力するための外部出力機能付き携帯電話機であって、所定時間、受信者が応答しないときに送信者からの音声信号を音声データとして自動的に録音、保存する留守録音手段と、前記留守録音手段の動作に対応して、前記送信者から送信されてきた音声信号を外部機器に出力する外部出力手段と、前記音声データを記憶するための記憶手段と、を備えたことを特徴とする。
【００１４】
この構成によると、携帯電話機にかかってきた電話の内容を音声信号として外部機器（カーオーディオやラジオカセット等）に出力し、該外部機器のスピーカより音声を出力するので携帯電話機の通話用スピーカで聞き取るよりも聞き取りやすく、それだけ用件が間違いなく伝わる。また外部機器より出力するので周りにいる人間に同時に同一内容を伝えることが可能である。
【００１５】
前記記憶手段は音声データのみを記憶するものである必要はなく、電話帳データや写真データ等の各種データを保存できるものを広く採用することが可能である。例えば、記憶手段として内蔵メモリ及び外付けメモリ等を挙げることができる。
【００１６】
また本発明は、上記構成の外部出力手段において、前記送信者から送信されてきた音声信号をリアルタイムで外部機器に出力することを特徴としている。
【００１７】
この構成によると、受信者が取り込み中で手を話せなくても、音声信号が音声データとして留守録音手段にて録音され、その後、時間がたってから受信者に確認されるのではなく、送信者が送信してきた音声信号をそのときにリアルタイムで確認することができるので、緊急の要件に対しても速やかに対応することが可能である。
【００１８】
さらに本発明は、前記送信者から送信されてきた音声信号を音声データとして前記留守録音手段にて前記記憶手段に記憶させると同時に、前記音声信号を前記外部出力手段で外部機器に出力することを特徴とする。
【００１９】
この構成によると、送信者が伝えようとしている用件をリアルタイムで聞くことが可能であり、緊急の用件に早急に対応できると共に、前記音声データを前記記憶手段に記憶させているので一度で聞き取りにくかった用件を何度も繰り返して聞くことが可能である。
【００２０】
また、前記送信者から送信されてきた音声信号を音声データとして留守録音手段で録音するか又は前記音声信号を前記外部出力手段で外部機器に出力するかのどちらか一方を行うようにするものを例示できる。
【００２１】
この構成によると、他の音声データやメモ等で携帯電話機の記憶手段の記憶容量に空きがないとき等、留守録音できない場合や留守録音したくない場合でも音声信号を外部機器に出力でき、電話があったが用件が伝わらない状況になることを回避することが可能である。
【００２２】
また、外部機器の音声記録装置（カセットレコーダ、ＭＤレコーダ等）に記録してもよい。この場合、携帯電話機を家において外出してしまった場合でも、外部機器の記録装置に取り付けられた記憶媒体に音声データが記録されているので、記録媒体を再生することで送信者の用件を確認することが可能である。記録媒体を持ち運べば、車の中のカーオーディオや電車等の中でポータブルプレーヤ等を用いて確認することも可能である。
【００２３】
また、前記送信者からの音声信号を前記外部出力手段にて出力するか否かを指定するモード設定手段を有していてもよい。
【００２４】
また本発明は前記外部出力手段として、前記音声信号にＦＭ変調を施してＦＭ波に重畳して送信するものを例示できる。また、ＦＭ変調を施して送信するものだけでなく、赤外線を使うもの等、携帯電話機の回線電波を出力する以外の方法で音声信号を出力するものを広く採用することができる。その中でも、携帯電話機に搭載するものであるため、小型軽量な構成のものがより好ましい。
【００２５】
また、前記携帯電話機は、前記留守録音手段にて予め録音されている送信者からの音声データを音声信号として、外部出力手段にて前記外部機器に出力するものを例示できる。
【００２６】
この構成によると、前記記憶手段に保存されている音声データを音声信号として外部機器に出力することが可能であり、外出先で記憶した音声データを帰って整理したりすることが可能である。
【００２７】
前記外部出力手段は、前記音声信号にＦＭ変調を施してＦＭ波に重畳して送信するものを例示できる。
【００２８】
この構成によると、外部機器としてあらゆる場面で用いられているＦＭチューナを用いることが可能であるので、自動車の中、家の中等あらゆる場面で、本発明にかかる携帯電話機の外部出力機能を利用することができる。
【００２９】
また本発明は、前記携帯電話機の留守録音手段と連動し、該携帯電話機に送信されてきた音声データを該携帯電話機以外の外部機器に出力するための、外部出力手段を有しており、前記携帯電話機と所定の方法で接続することで前記外部機器に携帯電話機の音声データを音声信号として出力することが可能である音声外部出力装置を提供することができる。
【００３０】
この構成によると、予め外部出力機能を有していない携帯電話機にも後付で外部出力機能を追加することができる。
【００３１】
【発明の実施の形態】
以下に本発明の実施形態を図面を参照して説明する。
図１は本発明にかかる外部出力機能付き携帯電話機の概略配置を示すブロック図である。
【００３２】
図１に示す外部出力機能付き携帯電話機Ａは、電波を受信するアンテナＡｎｔと、表示手段であるの液晶パネル１と、電話番号や各種設定等を入力するための入力手段である入力キー２と、音声を入力又は呼び出し音、受話音等を出力する音声入出力手段３と、受信者が携帯電話機に出られないときに要件を録音し、保存するための留守録音手段４と、よく電話をかける相手のプロフィール及び電話番号や、留守録音の内容等を記憶するための記憶手段であるメモリ５と、アンテナＡｎｔにて受信した音声信号を、伝送波に重畳させて後述の外部機器ＧＳに発信する外部出力手段であるＦＭ発信回路６と、上述の各手段の動作を制御する制御手段Ｃｏｎｔと、携帯電話機Ａに電力を供給する電源７と、受信した電波を音声信号に変換する信号変換手段８とを有している。
【００３３】
留守録音手段４は、受信者が電話に出られないときに、アンテナＡｎｔにて、受信し、変換された音声信号を、携帯電話機Ａのメモリ５に録音し、保存する処理を行うものである。留守録音手段４は携帯電話機Ａの動作モードが留守録音モードの時に駆動するものであり、留守録音手段４が駆動しているときは、電波を受信して使用者が任意に決めた時間経過した後、電話がつながり、受信者が電話に出られない旨のアナウンスが流れた後に、留守録音が開始される。
【００３４】
音声入出力手段３は、電波を受信し着信したことを知らせる第１のスピーカ３１と、受信した音声データを音声として出力する第２スピーカ３２と、音声を捉えて音声信号に変換するマイク３３とを備えている。
【００３５】
また、携帯電話機Ａは、留守録音手段４が留守録音を開始した時点でＦＭ発信回路６を用いて、アンテナＡｎｔより受信した信号を外部機器ＧＳに出力する外部出力モードを備えている。外部出力モードがＯＮのときに、携帯電話機Ａが電波を受信したときは、留守録音手段４にてメモリ５に録音される留守録音音声信号を、ＦＭ発信回路６にも送り、伝送波に重畳させ外部機器に対して出力する。
【００３６】
ＦＭ発信回路６として、それには限定されないがここでは、音声信号をＦＭ変調して外部機器に発信するＦＭ発信回路６を用いている。また、これ以外にも、音声信号を外部機器ＧＳに出力するものを広く採用することが可能である。その中でも、携帯電話機Ａの搭載するものであることを考慮すると、小型軽量のものが望ましい。
【００３７】
ＦＭ発信回路６は、音声信号を変調するときに、アンテナＡｎｔで受信した音声信号を一度アナログ音声信号に変換してその後ＦＭ変調して外部機器ＧＳに発信してもよく、携帯電話機Ａがデジタルの場合、アンテナＡｎｔで受信したデジタル信号をそのままＦＭ発信回路６にて変調して外部機器ＧＳに発信してもよい。
【００３８】
図２に本発明にかかる携帯電話機と外部機器の概略配置のブロック図を示す。図２に示す携帯電話機Ａは図１に示す携帯電話機Ａと同じ構成であり、同じ部分には同じ符号が付してある。
【００３９】
通常の携帯電話機Ａでの会話は、アンテナＡｎｔにて電波を受信し、受信した電波を信号変換手段８にて音声信号に変換し、音声入出力手段３にて音声として出力する。また、これとは別に外部出力モードの場合、音声入出力手段３にて入力された音声は、信号変換手段８にて電波に変換されて、ＦＭ発信回路に送られＦＭ変調された後ＦＭアンテナＦａｎｔより発信される。
【００４０】
また留守録音モードの場合、アンテナＡｎｔにて電波を受信し、受信者が任意に設定した時間呼び出し音が流れたあと、電話に出られない旨のアナウンスが流れて、留守録音手段４が、音声信号をメモリ５に記憶させていく。そのとき、液晶パネル１に留守録音がある旨を表示する。その後、受信者の要求にしたがって、メモリ５に記憶された留守録音を音声入出力手段３に送信して、音声入出力手段３の第２のスピーカ３２より音声として出力する。
【００４１】
また、外部出力モードの場合、留守録音手段４が音声信号をメモリ５に記憶するときに、音声信号をＦＭ発信回路６にも送信し、音声信号はＦＭ発信回路６にてＦＭ変調され、ＦＭ変調された音声信号が外部機器ＧＳに発信される。外部機器ＧＳのＦＭ用アンテナＧＳａで受信された信号はＦＭチューナＦｔに送られ、外部スピーカＧＳｐより音声として出力される。このとき、留守録音手段４は発信者からの信号をメモリ５に記憶しておいてもよく、また、記憶はせずに、外部スピーカＧＳｐより出力するだけでもよい。また、ＦＭチューナＦｔに接続されたカセットレコーダやＭＤレコーダ（図示は省略）といった記録用機器に信号を送り記録してもよい。
【００４２】
留守録音モード又は外部出力モードにおいて、メモリ５に記憶された音声信号を出力する場合、携帯電話機Ａに設けられた音声入出力手段３より音声出力することができると共に、音声信号をＦＭ発信回路６に送信し、ＦＭ変調した後に外部機器ＧＳに発信することで、外部スピーカＧＳｐより音声として出力することができる。すなわち、予め、録音されている音声信号も、外部機器ＧＳに送信して、外部機器のスピーカＧＳｐより出力することが可能である。
【００４３】
図３に本発明にかかる携帯電話機の動作を表すフローチャートを示す。
図３示すフローチャートは留守録音モード、外部出力モードの場合の携帯電話機の動作を示すものである。最初に、携帯電話機Ａが電波を受信し（ステップＳ１１）、電波を音声信号に変換する（ステップＳ１２）。その後、携帯電話機Ａが留守録音モード又は外部出力モードであるかどうか確認する（ステップＳ１３）。携帯電話機Ａが留守録音モード又は外部出力モードいずれでもない場合（ステップＳ１３においてＮＯの場合）、携帯電話機Ａは一般的な携帯電話機として動作する（ステップＳ１４）。
【００４４】
携帯電話機Ａが留守録音モード又は外部出力モードの場合（ステップＳ１３でＹＥＳの場合）、留守録音手段４を起動する（ステップＳ１５）。そして、外部出力モードかどうか判断する（ステップＳ１６）。外部出力モードの場合（ステップＳ１６でＹＥＳの場合）、音声信号は、ＦＭ発信回路６に送られる（ステップＳ１７）。また、ステップＳ１７にて音声信号をＦＭ発信回路６に送信すると共に、留守録音手段４にも送信し、メモリ５に記憶させる（ステップＳ１８）。ＦＭ発信回路６に送られた音声信号をＦＭ変調し（ステップＳ１９）、外部機器ＧＳに送信する（ステップＳ１１０）。これにより外部機器ＧＳより音声を出力することができる。
【００４５】
留守録音モードの場合（ステップＳ１６にてＮＯの場合）留守録音手段４が音声信号をメモリ５に記憶させる（ステップＳ１１１）。以上の動作が、留守録音モード又は外部出力モードのときの携帯電話機の動作である。
【００４６】
例えば、自動車運転中に携帯電話機が電波を受信しても安全上、電話を取ることができないが、上記のように音声信号を外部機器（ここではカーステレオ）に微弱ＦＭ電波として発信し、このＦＭ電波をカーステレオで受信してカーステレオに接続されたスピーカで音声として出力することが可能である。これにより、留守録音として録音されるべき要件を録音されるときにリアルタイムで聞くことが可能であり、緊急な要件の場合、自動車を停止させて折り返し電話をかける等の迅速な対応が可能である。
【００４７】
また、受信者がカーステレオで別のソース（ＣＤ、ＭＤ、ラジオ等）を聞いているときでも、携帯電話機の呼び出し音はなるので、呼び出し音が鳴ったときにＦＭチューナをあらかじめ設定されている周波数にチューニングをあわせることで、カーステレオのスピーカより留守録音をリアルタイムで聞くことが可能である。また、携帯電話機の呼び出し音がなったときに、ＦＭチューナを前記周波数に切り替えるので、ＦＭチューナからのノイズを気にしなくてもよい。
【００４８】
図４に携帯電話機の動作の他の例のフローチャートを示す。図４に示す携帯電話機の動作は留守録音手段にて録音された音声信号を、ＦＭ発信回路６を用いて外部機器ＧＳに出力するものである。
【００４９】
記録媒体に記録された音声データをメモリ５より読み出し（ステップＳ２１）、音声信号に変換する（ステップＳ２２）。読み出した音声信号をＦＭ発信回路６に送信する（ステップＳ２３）。このとき、音声信号は音声入出力手段３に送信され（ステップＳ２４）、携帯電話機Ａの音声入出力手段３にて、音声として出力される（ステップＳ２５）。それと同時に、ＦＭ発信回路６に送信された音声信号はＦＭ変調され（ステップＳ２６）、外部出力機器ＧＳにＦＭ波として発信される（ステップＳ２７）。これにより、受信者が携帯電話機Ａに着信があったときに電話に出ることができず、発信者からの音声信号を携帯電話機の留守録音モードでメモリ５に記憶した場合であっても、その音声信号を外部機器ＧＳの大出力（携帯電話機Ａの音声入出力手段に比べて）のスピーカにて再現することができ、重要な用件を聞き取りやすい。また、外部機器ＧＳの近くにいる人間全員に同時に要件を伝えることも可能である。
【００５０】
図５に携帯電話機の動作のさらに他の例のフローチャートを示す。
まず、携帯電話機Ａが電波を受信し（ステップＳ３１）、電波を音声信号に変換する（ステップＳ３２）。その後、携帯電話機Ａが留守録音モード又は外部出力モードであるかどうか確認する（ステップＳ３３）。携帯電話機Ａが留守録音モード又は外部出力モードいずれでもない場合（ステップＳ３３においてＮＯの場合）、携帯電話機Ａは一般的な携帯電話機として動作する（ステップＳ３４）。
【００５１】
携帯電話機Ａが留守録音モード又は外部出力モードの場合（ステップＳ３３でＹＥＳの場合）、留守録音手段４を起動する（ステップＳ３５）。そして、外部出力モードかどうか判断する（ステップＳ３６）。外部出力モードの場合（ステップＳ３６でＹＥＳの場合）、音声信号は、ＦＭ発信回路６に送られる（ステップＳ３７）。ＦＭ発信回路６に送られた音声信号をＦＭ変調し（ステップＳ３８）、外部機器ＧＳに送信する（ステップＳ３９）。これにより外部機器ＧＳより音声を出力することができる。
【００５２】
また、携帯電話機Ａが留守録音モードの場合（ステップＳ３６でＮＯの場合）、音声信号はＦＭ発信回路６に送信されずに、留守録音手段４にてメモリ５に記憶される（ステップＳ３１０）。
【００５３】
本実施例によると、外部出力モードでＦＭ発信回路６より外部に音声信号が出力されたときは、携帯電話機のメモリ５に記憶させず、留守録音モードのときのみメモリ５に記憶させるものである。例えばメモリ５の記憶容量が留守録音やその他のデータで満杯のときは、ＦＭ発信回路６より外部機器に出力するモードとなるようにしておけば、メモリ５の容量が足らずに用件が伝えきれないといった問題が発生しなくなる。また、外部機器ＧＳに取り付けられているカセット、ＭＤ等の記録媒体に録音するようにしてもよい。この場合、携帯電話機の電波が届かないところでも、記録媒体の再生装置さえあれば、留守録音の内容を確認することが可能である。
【００５４】
図６に本発明にかかる音声外部出力装置と携帯電話機及び外部機器の概略配置のブロック図を示す。外部機器は図２に示すブロック図と同様の構造であり実質上同一の部分には同一の符号が付してある。
【００５５】
図６に示す音声外部出力装置ＯＰは、携帯電話機Ｂからの音声信号をＦＭ変調させ、ＦＭ波として外部機器ＧＳに送信するＦＭ発信回路６’と、制御装置Ｃｏｎｔ’を備えている。
【００５６】
音声外部出力装置ＯＰは携帯電話機Ｂの信号変換手段８及び留守録音手段４に接続されており、留守録音手段４に同期して、信号変換手段８から音声信号を受けてＦＭ発信回路６’からＦＭ変調された音声信号を発信するものである。
【００５７】
これにより、外部出力機能を持たない携帯電話機（既存の携帯電話機）にも外部出力機能を付加することができる。
【００５８】
【発明の効果】
本発明によると、複雑な装置や配線を用いることなく、発信者が留守録音している会話の内容を受信者が携帯電話機に出なくともリアルタイムで外部機器（例えばホームオーディオ、カーオーディオ等）に出力し、確認することができる携帯電話機を提供することができる。
【００５９】
また本発明によると、簡単な操作で、携帯電話機の留守録音機能にて録音、保存されている音声信号を外部機器のスピーカに出力することができる携帯電話機を提供することができる。
【００６０】
さらに本発明によると、留守録音機能を有する携帯電話機に、留守録音中の音声を外部機器スピーカで確認できる機能を付加することができる音声外部出力装置を提供することができる。
【図面の簡単な説明】
【図１】本発明にかかる外部出力機能付き携帯電話機の概略配置を示すブロック図である。
【図２】図１に示す外部出力機能付き携帯電話機と外部機器の関係を示す概略ブロック図である。
【図３】図１に示す外部出力機能付き携帯電話機の動作の１例を示すフローチャートである。
【図４】図１に示す外部出力機能付き携帯電話機のメモリ内の音声データを外部出力機能で外部機器に出力する手順を示すフローチャートである。。
【図５】図１に示す外部出力機能付き携帯電話機の動作の他の例を示すフローチャートである。
【図６】本発明にかかる音声外部出力装置と携帯電話機及び外部機器の関係を示す概略ブロック図である。
【符号の説明】
Ａ  携帯電話機
１  液晶パネル
２  入力キー
３  音声入出力手段
３１  第１のスピーカ
３２  第２のスピーカ
３３  マイク
４  留守録音手段
５  メモリ
６  ＦＭ発信回路
７  電源
ＧＳ  外部機器
Ｆｔ  ＦＭチューナ
ＧＳｐ  外部機器に接続されたスピーカ
【図１】
2005006009.tif 000003
【図２】
2005006009.tif 000004
【図３】
2005006009.tif 000005
【図４】
2005006009.tif 000006
【図５】
2005006009.tif 000007
【図６】
2005006009.tif 000008